(57)【要約】【課題】本発明の目的は、磁気力を利用することで補助レンズ体が本体眼鏡のレンズを覆った状態（閉状態）と覆わない状態（開状態）とに簡単に切替え可能であり、しかも閉状態で保持しても安定した保持力を得られる前掛け付き眼鏡を提供すること。【解決手段】  本体眼鏡１に対し開状態と閉状態とに切替え可能なように該本体眼鏡に補助レンズ体２が取り付けられた前掛け付き眼鏡であって、前記本体眼鏡は、レンズと、該レンズの側面に沿って配置されるリム１２と、該リムと連結されるブリッジ１３と該ブリッジに設けられる本体下部磁性体と、該本体下部磁性体に対して眼鏡高さ方向に間隔を置くように前記本体眼鏡の最上部に設けられる本体上部磁性体と、を有し、該補助レンズ体は、前記開状態において前記本体上部磁性体と接触又は近接して前記本体上部磁性体を引き付ける補助上部磁性体と、前記閉状態において前記本体下部磁性体と接触又は近接して前記本体下部磁性体を引き付ける補助下部磁性体と、を有する前掛け付き眼鏡。【選択図】図１
2006106445.tif 000002
【特許請求の範囲】
【請求項１】
本体眼鏡に対し開状態と閉状態とに切替え可能なように該本体眼鏡に補助レンズ体が取り付けられた前掛け付き眼鏡であって、
前記本体眼鏡は、
レンズと、
該レンズの側面に沿って配置されるリムと、
該リムと連結されるブリッジと、
該ブリッジに設けられる本体下部磁性体と、
該本体下部磁性体に対して眼鏡高さ方向に間隔を置くように前記本体眼鏡の最上部に設けられる本体上部磁性体と、
を有し、
該補助レンズ体は、
前記開状態において前記本体上部磁性体と接触又は近接して前記本体上部磁性体を引き付ける補助上部磁性体と、
前記閉状態において前記本体下部磁性体と接触又は近接して前記本体下部磁性体を引き付ける補助下部磁性体と、
を有することを特徴とする前掛け付き眼鏡。
【請求項２】
前記本体上部磁性体がリムに設けられていることを特徴とする請求項１に記載の前掛け付き眼鏡。
【請求項３】
前記本体上部磁性体が本体眼鏡の最上部であるワタリに設けられていることを特徴とする請求項１に記載の前掛け付き眼鏡。
【請求項４】
前記本体上部磁性体が本体眼鏡の最上部であるヨロイに設けられていることを特徴とする請求項１に記載の前掛け付き眼鏡。
【請求項５】
前記補助下部磁性体は前記本体下部磁性体の下方に相対するように設けられることを特徴とする請求項１に記載の前掛け付き眼鏡。
【請求項６】
本体眼鏡に対し補助レンズ体がその補助上部磁性体の付近を支点として回動し積極的に跳ね上がるように作用させたことを特徴とする請求項１に記載の前掛け付き眼鏡。
【発明の詳細な説明】
【技術分野】
【０００１】
本発明は、本体眼鏡に対し補助レンズ体が取り付けられた前掛け付き眼鏡に関し、より詳しくは、補助レンズ体を本体眼鏡のレンズに対して覆った状態（閉状態）と、覆わない状態（開状態）とに選択的に磁力を利用して保持できる、前掛け付き眼鏡に関する。
【背景技術】
【０００２】
従来、本体眼鏡にサングラス等の補助レンズ体を取り付けた前掛け付き眼鏡が知られている（特許文献１〜３参照）。
この特許文献１〜３に記載の前掛け付き眼鏡は、磁石を用いて補助レンズ体を本体眼鏡の正面に取り付ける構造である。
【０００３】
しかしながら、この構造では、遮光が不要なとき補助レンズ体を本体眼鏡から敢えて取り外さなくてはならず、補助レンズ体の置き場に困るという問題があった。
そのため、補助レンズ体を本体眼鏡に保持された状態で、そのレンズを覆った状態（閉状態）と覆わない状態（開状態）とに変更可能な構造を備えた前掛け付き眼鏡が開発されている（特許文献４，５参照）。
【０００４】
これらは、補助レンズ体を本体眼鏡に保持させたままで、補助レンズ体を本体眼鏡に対して回動させ選択的に閉状態又は開状態にするものであり、補助レンズ体が常に本体眼鏡に磁力によって保持される構造を備えている。
そのため、不使用時に補助レンズ体をわざわざ取り外す必要がない点で極めて便利である。
【特許文献１】実用新案登録第３０８９４８５号公報
【特許文献２】実用新案登録第３０８３１２６号公報
【特許文献３】実用新案登録第３０７０３２４号公報
【特許文献４】特開２００４−１４５２４０号公報
【特許文献５】特開２００４−１８４４２７号公報
【発明の開示】
【発明が解決しようとする課題】
【０００５】
しかしながら、特許文献４，５に記載の前掛け付き眼鏡では、閉状態にあるときに補助レンズ体はその上部で支持されるので、外れ易いという問題点があった。
例えば、眼鏡装用者が比較的強く首を縦に振った場合等には、補助レンズ体がピッチング方向（図２６参照）に揺動したり、ずれたりして、極端には外れるのである。
これは磁石力を強くしても必ずしも解消できないものであった。
補助レンズ体を本体眼鏡に保持させ状態で確実で、しかも安定した保持力を得るため他の手段の開発が求められていた。
【０００６】
本発明は、かかる背景技術をもとになされたもので、上記の背景技術の問題点を克服するためになされたものである。
すなわち、本発明は、磁気力を利用することで補助レンズ体が本体眼鏡のレンズを覆った状態（閉状態）と覆わない状態（開状態）とに簡単に切替え可能であり、しかも閉状態で保持しても安定した保持力を得られる前掛け付き眼鏡を提供することを目的とする。
【課題を解決するための手段】
【０００７】
かくして、本発明者は、このような課題背景に対して鋭意研究を重ねた結果、ブリッジに本体下部磁性体を設け、リム等に、該本体下部磁性体より上方に間隔を置いて本体上部磁性体を設けることにより、上記の問題点を解決することができることを見出し、この知見に基づいて本発明を完成させたものである。
【０００８】
すなわち、本発明は、（１）、本体眼鏡に対し開状態と閉状態とに切替え可能なように該本体眼鏡に補助レンズ体が取り付けられた前掛け付き眼鏡であって、前記本体眼鏡は、レンズと、該レンズの側面に沿って配置されるリムと、該リムと連結されるブリッジと、該ブリッジに設けられる本体下部磁性体と、該本体下部磁性体に対して眼鏡高さ方向に間隔を置くように前記本体眼鏡の最上部に設けられる本体上部磁性体と、を有し、該補助レンズ体は、前記開状態において前記本体上部磁性体と接触又は近接して前記本体上部磁性体を引き付ける補助上部磁性体と、前記閉状態において前記本体下部磁性体と接触又は近接して前記本体下部磁性体を引き付ける補助下部磁性体と、を有する前掛け付き眼鏡に存する。  
【０００９】
また、本発明は、（２）、前記本体上部磁性体がリムに設けられている上記（１）に記載の前掛け付き眼鏡に存する。
【００１０】
また、本発明は、（３）、前記本体上部磁性体が本体眼鏡の最上部であるワタリに設けられている上記（１）に記載の前掛け付き眼鏡に存する。    
【００１１】
また、本発明は、（４）、前記本体上部磁性体が本体眼鏡の最上部であるヨロイに設けられている上記（１）に記載の前掛け付き眼鏡に存する。  
【００１２】
また、本発明は、（５）、前記補助下部磁性体は前記本体下部磁性体の下方に相対するように設けられる上記（１）に記載の前掛け付き眼鏡に存する。  
【００１３】
また、本発明は、（６）、本体眼鏡に対し補助レンズ体がその補助上部磁性体の付近を支点として回動し積極的に跳ね上がるように作用させた上記（１）に記載の前掛け付き眼鏡に存する。
【００１４】
なお、本発明の目的に添ったものであれば、上記（１）から（６）を適宜組み合わせた構成も採用可能である。
【発明の効果】
【００１５】
本発明によれば、本体眼鏡には、ブリッジに設けられる本体下部磁性体と、本体眼鏡の最上部に設けられる本体上部磁性体と、が設けられ、補助レンズ体には、開状態において本体上部磁性体を引き付ける補助上部磁性体と、閉状態において本体下部磁性体を引き付ける補助下部磁性体と、が設けられているので、レンズを覆った状態（閉状態）と覆わない状態（開状態）とに選択的に切り替えることができ、それらの相互の切替えも極めて簡単に且つ素早く行うことが可能である。
遮光が不必要である場合にもわざわざ取り外す必要がない。
【００１６】
しかも該本体下部磁性体に対して本体上部磁性体が眼鏡高さ方向に間隔を置くように前記本体眼鏡の最上部に設けられていることから、補助レンズ体を本体眼鏡のレンズに取り付けた場合、補助下部磁性体と本体下部磁性体との磁力による結合が本体眼鏡や補助レンズ体の高さ方向の中央部に近い位置となり、補助レンズ体がピッチング方向に揺動したりずれたりすることが確実に防止される。
【発明を実施するための最良の形態】
【００１７】
以下、本発明を実施するための最良の形態を図面に基づいて説明する。
〔第１実施形態〕
図１は、本発明の第１実施形態に係る前掛け付き眼鏡を示している。  
この前掛け付き眼鏡は、本体眼鏡１と、この本体眼鏡１の前方に取り付けられる補助レンズ体２とを備えている。
【００１８】
本体眼鏡１は、略長方形板状のレンズ１１と、該レンズ１１の側面１１ａに沿ってレンズ１１の上半分に設けられるリム１２とを備えている。
また本体眼鏡１は、本体眼鏡１の最上部に、より具体的にはリム１２の上部中央に本体上部磁性体である磁石Ｔ１（一対）を埋設して備えている。
この磁石Ｔ１は、リム１２の表面にまで磁力が及ぶことが必要であり、この磁力の観点からみて長方形断面を有する線状のリム１２の上面において露出していることが好ましい。
【００１９】
左眼側のリム１２と右眼側のリム１２とは、略角柱状のブリッジ１３を介して連結されており、このブリッジ１３には、本体下部磁性体である磁石Ｂ１が埋設して備わっている。
すなわち、該本体下部磁性体に対して眼鏡高さ方向に間隔を置くように本体上部磁性体が備わっているものである。
更に本体眼鏡１は、リム１２連結されるヨロイＹ１を備えている。
【００２０】
一方、補助レンズ体２は、略長方形板状の補助レンズ２１と、該補助レンズ２１を保持するためのリム２２とを備えている。
なお、本体眼鏡１が近視用等のため度数があるのに対して、補助レンズ体２は、主に、遮光用のサングラスとして用いられる場合か多く、通常、度数はゼロである。
また補助レンズ体２は、補助上部磁性体である磁石Ｔ２（一対）をリム２２の上部中央に備えている。
【００２１】
左眼側のリム１２と右眼側のリム１２とは、略角柱状のブリッジ２３を介して連結されており、このブリッジ２３には、補助下部磁性体である磁石Ｂ２が埋設して備わっている。
そして、図２に示すように、補助レンズ体２を本体眼鏡１に取り付けると、本体眼鏡１の本体下部磁性体である磁石Ｂ１と補助レンズ体２の磁石Ｂ２とが磁力により結合した状態となる。
この場合、磁石Ｂ１と磁石Ｂ２との磁力による結合が本体眼鏡や補助レンズ体の高さ方向の中央部に近い位置となり、補助レンズ体２は本体眼鏡１に対して安定した状態で保持される。
すなわち補助レンズ体がピッチング方向に揺動したりずれたりすることが確実に防止されることとなる。
【００２２】
図３は本体眼鏡１の詳細を示している。
図３（ａ）は平面図を示し、また図３（ｂ）は正面図を示している。
この本体眼鏡１は、いわゆるナイロールタイプである。
ナイロールタイプの眼鏡は、レンズ１１の下部側面に溝を設けナイロン等のフィラメント糸でレンズをつり下げて保持する方式を採用している。
そのため、レンズ１１の上半分に、側面１１ａに沿ってリム１２が配置されている構造となる。
【００２３】
左眼側のリム１２と右眼側のリム１２とは、やや弓形になった略角柱状のブリッジ１３を介して連結されている。
また、このブリッジ１３の中央付近は幅広にされ、その部分に磁石Ｂ１が埋設されている。
この磁石Ｂ１は、角柱状の小片に形成されており一定の磁気力を有するもので、その表面はブリッジ１３の下面と面一となって露出している。
【００２４】
リム１２に設けられた磁石Ｔ１は、角柱状の小片に形成され一定の磁力を有するが、リム１２の湾曲に合わせた形とすることも可能である。
また磁石Ｔ１は、リム１２の上面と面一に露出している。
【００２５】
図４は補助レンズ体２の詳細を示している。
図４（ａ）は平面図を示し、また図４（ｂ）は正面図を示している。
この補助レンズ体２は、いわゆるフルリムタイプであり、補助レンズ２１の全周が環状のリム２２によって覆われている。
【００２６】
このリム２２の上部中央には、後方に突出する直方体状の突起部２４が設けられている。
この突起部２４には、角柱状の小片である磁石Ｔ２が埋設され、突起部２４の背面と面一となって露出している。
【００２７】
この磁石Ｔ２が設けられた左眼側及び右眼側のリム２２は、ブリッジ２３を介して相互に連結されている。
このブリッジ２３の中央付近はやや太めにされ、その部分に磁石Ｂ２が埋設されている。
この磁石Ｂ２は角柱状の小片に形成され、同じく略角柱状のブリッジ２３の上面と面一となって露出している。
そして、補助下部磁性体である磁石Ｂ２は前記本体下部磁性体である磁石Ｂ１の下方に相対するように設けられる。
【００２８】
図５は、補助レンズ体２を本体眼鏡１に取り付けた状態において閉状態から開状態に切り替える操作を示した模式図である。
図５（ａ）は補助レンズ体２が閉状態にある場合、図５（ｂ）は補助レンズ体２が開状態に切り替えられる途中の状態にある場合、及び図５（ｃ）は補助レンズ体２が開状態にある場合をそれぞれ示している。
先ず、補助レンズ体２が閉状態にある場合について説明する。
図５（ａ）に示すように、補助レンズ体２が閉状態にある場合は、補助下部磁性体である磁石Ｂ２は、本体下部磁性体である磁石Ｂ１と結合している。
【００２９】
より具体的には、磁石Ｂ１と磁石Ｂ２とが接触し磁力によって相互に引き付け合って結合している。
なお、磁石Ｂ１、磁石Ｂ２をブリッジ１３、ブリッジ２３に全部埋没させることも、相互に磁力が働く限り可能である。
【００３０】
ここで磁石Ｂ１に対しては、磁石Ｔ１は眼鏡高さ方向に間隔を置いて設けられていること、換言すれば磁石Ｂ１は磁石Ｔ１対しては眼鏡高さ方向に間隔を置いて設けられていることから、必然的に磁石Ｂ１と磁石Ｂ２との磁力による結合が、本体眼鏡１や補助レンズ体２の高さ方向の中央部に近い位置となる。
そのため、この状態では補助レンズ体がピッチング方向に揺動したりずれたりすることが確実に防止される。
一方、補助上部磁性体である磁石Ｔ２と、本体上部磁性体である磁石Ｔ１とは、接触も近接もしておらず、これらの間には磁力が作用していない。
【００３１】
次に、補助レンズ体２がレンズを覆った状態（閉状態）から覆わない状態（開状態）に切り替えられる途中の状態について述べる。
図５（ｂ）に示すように、補助レンズ体２を閉状態から開状態にするには、先ず図示しない手を使って補助レンズ体２の下部を上方に押し上げる操作を行う。
そのため補助レンズ体２は磁石Ｔ２付近を支点として上方に回動するが、図のように磁石Ｔ１と磁石Ｔ２とが近接すると相互に磁力による引付け作用が働き補助レンズ体２を更に上方に積極的に跳ね上げるように作用する。
具体的には、磁石Ｔ１が埋められた突起部２４の上面（平面に形成）と磁石Ｔ２が埋められたリム１２の上面（平面に形成）とが引き付け合って、Ｐ点を支点として回動力が生じるのである。
そのため、手を離すと、補助レンズ体２は自力で図（ｃ）の状態に跳ね上がるように移行する。  
【００３２】
次いで、補助レンズ体２が開状態にある場合について説明する。
図５（ｂ）に示すように、補助レンズ体２が開状態においては、磁石Ｔ２は磁石Ｔ１と結合している。
具体的には、磁石Ｔ１が埋められた突起部２４の上面と磁石Ｔ２が埋められたリム１２の上面とが接触した状態で相互に磁力により引き付け合って結合している。
【００３３】
なお、磁力が相互に作用する限り、磁石Ｔ１をリム１２に埋没させたり、磁石Ｔ２を突起部２４に埋没させたりしても良いことはいうまでもない。
【００３４】
上述した第１実施形態の前掛け付き眼鏡では、本体眼鏡１には、ブリッジに設けられる本体下部磁性体である磁石Ｂ１と、本体眼鏡の最上部に設けられる本体上部磁性体である磁石Ｔ１と、が設けられ、一方、補助レンズ体２には、開状態において磁石Ｔ１を引き付ける補助上部磁性体である磁石Ｔ２と、閉状態において磁石Ｂ１を引き付ける補助下部磁性体である磁石Ｂ２と、が設けられているので、閉状態と開状態とに選択的に切り替えることができる。
しかも、このような閉状態と開状態との相互の切替えも極めて簡単に且つ素早く行うことが可能であり、遮光が不必要である場合にもわざわざ取り外す必要がない。
【００３５】
また磁石Ｂ１に対して磁石Ｔ１が眼鏡高さ方向に間隔を置くように前記本体眼鏡の最上部に設けられていることから、補助レンズ体２を本体眼鏡１のレンズに取り付けた場合、磁石Ｂ２と磁石Ｂ１との磁力による結合が本体眼鏡１や補助レンズ体２の高さ方向の中央部に近い位置となり、補助レンズ体２がピッチング方向に揺動したりずれたりすることが確実に防止される。
【００３６】
なお、上述した第１実施形態では、補助レンズ体としてフルリムタイプのものを使用した例について説明したが、補助レンズ体はこのタイプに限定されるものではない。
例えば、図６に示すような、いわゆるナイロールタイプのものでも良いし、図７に示すようないわゆるリムレスタイプのものでも良い。
なお、図７のリムレスタイプの場合は、補助レンズ２１に直接、磁石Ｔ２を埋設する突起部２４が取り付けられる。
【００３７】
〔第２実施形態〕
図８は、本発明の第２実施形態に係る前掛け付き眼鏡を示している。
なお、この第２実施形態において第１実施形態と同一の構成要素には同一の符号を付し、その詳細な説明を省略又は簡略化する（以下同じ）。
この第２実施形態は、第１実施形態と比べてヨロイＹ１の位置が異なる。
第１実施形態では、ヨロイＹ１は眼鏡高さ方向の中央よりやや上方に設けられているのに対し、第２実施形態では、ヨロイＹ１は、本体眼鏡１の最上部、すなわちリム１２の上方のラインの延長に設けられている。
【００３８】
そして、ヨロイＹ１には、本体上部磁性体である磁石Ｔ１が埋設されて備わっている。
この磁石Ｔ１に対応させるべく、補助レンズ体２にはヨロイＹ２が設けられ、そこに補助上部磁性体である磁石Ｔ２が埋没して設けられている。
そして、本体上部磁性体である磁石Ｂ１と補助下部磁性体である磁石Ｂ２との磁力により補助レンズ体２を本体眼鏡１に取り付けることができる。
【００３９】
図９は本体眼鏡１の詳細を示している。
図９（ａ）は平面図を示し、また図９（ｂ）は正面図を示している。
図に示すように、ヨロイＹ１は、くの字状であり本体眼鏡１の最上部に設けられているが、その上面は平面となっている。
この磁石Ｔ１は、角柱状の小片に形成され、その長手方向を眼鏡幅方向に向けられている。
また磁石Ｔ１の上面は、ヨロイＹ１の上面と面一になって露出している。
【００４０】
図１０は補助レンズ体２の詳細を示している。
図１０（ａ）は平面図を示し、また図１０（ｂ）は正面図を示している。
図に示すように、補助レンズ体２には、その最上部に前記本体眼鏡１のヨロイＹ１に対応するように補助ヨロイＹ２が設けられている。
補助ヨロイＹ２には、磁石Ｔ２が埋設されているが、この磁石Ｔ１の上面はヨロイＹ２の背面と面一になって露出している。
【００４１】
この第２実施形態では、本体上部磁性体である磁石Ｔ１がヨロイＹ１に設けられておりリム１２に設けられる場合に比べて２つの磁石Ｔ１の眼鏡幅方向の間隔が長いので、ローリングやヨーイング（図２６）に対する抵抗を大きくすることができる。        
【００４２】
〔第３実施形態〕
図１１は、本発明の第３実施形態に係る前掛け付き眼鏡を示している。
図１２は本体眼鏡１の詳細を示し、図１２（ａ）は平面図を示し、また図１２（ｂ）は正面図を示している。
図１３は補助レンズ体２の詳細を示し、図１３（ａ）は平面図を示し、また図１３（ｂ）は正面図を示している。
この第３実施形態は、第１実施形態と比べて本体上部磁性体である磁石Ｔ１の数と位置が異なる。
【００４３】
この第３実施形態では、本体眼鏡１と補助レンズ体２はレンズの全周がリムで囲まれるいわゆるフルリムタイプとなっている。
本体眼鏡１には左眼側及び右眼側のリム１２の最上部間に掛け渡される棒状の部分（リム１２の一部）、すなわちワタリ１５が設けられ、その長手方向中央がやや太くされ、その部分に磁石Ｔ１が設けられている。
また磁石Ｔ１の上面は、ワタリ１５の上面と面一になって露出している。
【００４４】
一方、補助レンズ体２は、サングラス等として用いられる略長方形板状の補助レンズ２１と、該補助レンズ２１を保持するためのリム２２とを備えている。
また補助レンズ体２は、本体眼鏡１の形状に対応させてリム２２同士を連結する部分（リム２２の一部）、すなわちワタリ２５を備えている。
【００４５】
このワタリ２５は、補助上部磁性体である磁石Ｔ２を備えている。
この磁石Ｂ２の上面はブリッジ２３の裏面と面一になって露出している。
そして、閉状態では、本体下部磁性体である磁石Ｂ１と補助下部磁性体である磁石Ｂ２との磁力により補助レンズ体２を本体眼鏡１に取り付けることができる。
なお本体眼鏡１のブリッジ１３の磁石Ｂ１や補助レンズ体２のブリッジ２３の磁石Ｂ２については前述した第１実施形態と同じ設け方である。
【００４６】
この第３実施形態では、ワタリ１５とワタリ２５とにそれぞれたった一つの磁石が具わっているものであり、磁石が目立ちにくい。
【００４７】
〔第４実施形態〕
図１４は、本発明の第４実施形態に係る前掛け付き眼鏡を示している。
図１５は本体眼鏡１の詳細を示し、図１５（ａ）は平面図を示し、また図１５（ｂ）は正面図を示している。
図１６は補助レンズ体２の詳細を示し、図１６（ａ）は平面図を示し、また図１６（ｂ）は正面図を示している。
この第４実施形態は、第３実施形態と比べて本体上部磁性体である磁石Ｔ１の数が２つであり位置が異なる。
【００４８】
第３実施形態では、本体眼鏡１において、左眼側及び右眼側のリム１２の最上部同士を連結するワタリ１５の中央部に磁石Ｔ１を設けたが、この第４実施形態ではワタリ１５の両端側に磁石Ｔ１が設けられている。
そして、この磁石Ｔ１の上面はワタリ１５の上面と面一になって露出している。
一方、補助レンズ体２は、この磁石Ｔ１に対応させて突起部２４に磁石Ｔ２を埋設して備えている。
より具体的には、磁石Ｔ２は突起部２４に埋設されており、この突起部２４の背面と面一となって露出している。
そして、閉状態では平常対本体下部磁性体である磁石Ｂ１と補助下部磁性体である磁石Ｂ２との磁力により補助レンズ体２を本体眼鏡１に取り付けることができる。
【００４９】
〔第５実施形態〕
図１７は、本発明の第５実施形態に係る前掛け付き眼鏡を示している。
図１８は本体眼鏡１の詳細を示し、図１８（ａ）は平面図を示し、また図１８（ｂ）は正面図を示している。
図１９は補助レンズ体２の詳細を示し、図１９（ａ）は平面図を示し、また図１９（ｂ）は正面図を示している。
この第５実施形態は、第１実施形態と比べて本体眼鏡１のリム１２の形状のみ異なっているものである。
この第５実施形態のリム１２は、上端側が平坦なレンズ１１の側面１１ａに沿って設けられているだけであり、比較的軽いものとなる。
【００５０】
〔第６実施形態〕
図２０は、本発明の第６実施形態に係る前掛け付き眼鏡を示している。
図２１は本体眼鏡１の詳細を示し、図２１（ａ）は平面図を示し、また図２１（ｂ）は正面図を示している。
図２２は補助レンズ体２の詳細を示し、図２２（ａ）は平面図を示し、また図２２（ｂ）は正面図を示している。
この第６実施形態は、第１実施形態と比べて本体眼鏡１のリム１２のリム１２とブリッジ１３の形状のみ異なる。
ブリッジ１３を構成する部品がリム１２の領域まで重なって設けられており、リムの強度的な面で優れたものといえる。
【００５１】
以上、本発明を説明してきたが、本発明は上述した実施形態にのみ限定されるものではなく、その本質を逸脱しない範囲で、他の種々の変形が可能であることはいうまでもない。
【００５２】
例えば、上述した実施形態では、本体下部磁性体である磁石Ｂ１をブリッジ１３に設けた例について説明したが、図２３〜２５に示すようにヨロイＹ１に設けるようにすることも可能である。
この場合、前記実施形態におけるブリッジ同士の磁石による結合を、ヨロイ同士の磁石による結合に代えたものである。
すなわち、前記実施形態における本体眼鏡１の本体下部磁性体の磁石Ｂ１がヨロイＹ１の磁石Ｂ１に相当し、補助レンズ体２の補助下部磁性体の磁石Ｂ２がヨロイＹ２の磁石Ｂ２に相当するものである。
【００５３】
この本体眼鏡１の磁石Ｂ１に対して眼鏡高さ方向に間隔を置くように前記本体眼鏡の最上部に設けられる磁石Ｔ１であれば、上述した実施形態と同様な効果を得ることができる。
また、以上述べた実施形態では、磁石Ｔ１と磁石Ｔ２、及び磁石Ｂ１と磁石Ｂ２は、それぞれ相互に接触して補助レンズ体２を開状態又は閉状態に保つ例について説明したが、磁石同士を直接接触させるのでなく、各磁石を完全に埋め込んだ状態でも磁力を発揮できれば良いことはいうまでもない。
【産業上の利用可能性】
【００５４】
本発明は、本体眼鏡に対し補助レンズ体が取り付けられた前掛け付き眼鏡に関し、より詳しくは、補助レンズ体を本体眼鏡のレンズに対して覆った状態（閉状態）と、覆わない状態（開状態）とに選択的に磁力を利用して保持できる前掛け付き眼鏡に関するものであるが、その原理を利用する限り、眼鏡以外の分野にも当然適用可能である。
【図面の簡単な説明】
【００５５】
【図１】図１は、本発明の第１実施形態に係る前掛け付き眼鏡を示す説明図である。
【図２】図２は、本発明の第１実施形態に係る本体眼鏡と補助レンズ体とが合体した前掛け付き眼鏡を示す説明図である。
【図３】図３は、本体眼鏡の詳細を示す説明図であり、（ａ）は平面図を示し、また（ｂ）は正面図を示している。
【図４】図４は、補助レンズ体の詳細を示す説明図であり、（ａ）は平面図を示し、また（ｂ）は正面図を示している。
【図５】図５は、補助レンズ体が本体眼鏡に対し開閉した際の模式図である。
【図６】図６は、本発明の第１実施形態に係る前掛け付き眼鏡に用いる補助レンズ体の変形例を示し、（ａ）は平面図を示し、また（ｂ）は正面図を示している。
【図７】図７は、本発明の第１実施形態に係る前掛け付き眼鏡に用いる補助レンズ体の変形例を示し、（ａ）は平面図を示し、また（ｂ）は正面図を示している。
【図８】図８は、本発明の第２実施形態に係る前掛け付き眼鏡を示す説明図である。
【図９】図９は、本体眼鏡の詳細を示す説明図であり、（ａ）は平面図を示し、また（ｂ）は正面図を示している。
【図１０】図１０は、補助レンズ体の詳細を示す説明図であり、（ａ）は平面図を示し、また（ｂ）は正面図を示している。
【図１１】図１１は、本発明の第３実施形態に係る前掛け付き眼鏡を示す説明図である。
【図１２】図１２は、本体眼鏡の詳細を示す説明図である、（ａ）は平面図を示し、また（ｂ）は正面図を示している。
【図１３】図１３は、補助レンズ体の詳細を示す説明図であり、（ａ）は平面図を示し、また（ｂ）は正面図を示している。
【図１４】図１４は、本発明の第４実施形態に係る前掛け付き眼鏡を示す説明図である。
【図１５】図１５は、本体眼鏡の詳細を示す説明図であり、（ａ）は平面図を示し、また（ｂ）は正面図を示している。
【図１６】図１６は、補助レンズ体の詳細を示す説明図であり、（ａ）は平面図を示し、また（ｂ）は正面図を示している。
【図１７】図１７は、本発明の第５実施形態に係る前掛け付き眼鏡を示す説明図である。
【図１８】図１８は、本体眼鏡の詳細を示す説明図であり、（ａ）は平面図を示し、また（ｂ）は正面図を示している。
【図１９】図１９は、補助レンズ体の詳細を示す説明図であり、（ａ）は平面図を示し、また（ｂ）は正面図を示している。
【図２０】図２０は、本発明の第６実施形態に係る前掛け付き眼鏡を示す説明図である。
【図２１】図２１は、本体眼鏡の詳細を示す説明図であり、（ａ）は平面図を示し、また（ｂ）は正面図を示している。
【図２２】図２２は、補助レンズ体の詳細を示す説明図であり、（ａ）は平面図を示し、（ｂ）は正面図を示している。
【図２３】図２３は、本発明の他の実施形態に係る前掛け付き眼鏡を示す説明図である。
【図２４】図２４は、本体眼鏡の詳細を示す説明図であり、（ａ）は平面図を示し、また（ｂ）は正面図を示している。
【図２５】図２５は、補助レンズ体の詳細を示す説明図であり、（ａ）は平面図を示し、また（ｂ）は正面図を示している。
【図２６】図２６は、補助レンズ体のローリング、ヨーイング、ピッチングの方向を示す説明図である。
【符号の説明】
【００５６】
１  本体眼鏡
１１  レンズ
１１ａ  側面
１２  リム
１３  ブリッジ
１５  ワタリ
２  補助レンズ体
２１  補助レンズ
２２  リム
２３  ブリッジ
２４  突起部
２５  ワタリ
Ｂ１，Ｂ２，Ｔ１，Ｔ２  磁石
Ｙ１，Ｙ２  ヨロイ
【図１】
2006106445.tif 000003
【図２】
2006106445.tif 000004
【図３】
2006106445.tif 000005
【図４】
2006106445.tif 000006
【図５】
2006106445.tif 000007
【図６】
2006106445.tif 000008
【図７】
2006106445.tif 000009
【図８】
2006106445.tif 000010
【図９】
2006106445.tif 000011
【図１０】
2006106445.tif 000012
【図１１】
2006106445.tif 000013
【図１２】
2006106445.tif 000014
【図１３】
2006106445.tif 000015
【図１４】
2006106445.tif 000016
【図１５】
2006106445.tif 000017
【図１６】
2006106445.tif 000018
【図１７】
2006106445.tif 000019
【図１８】
2006106445.tif 000020
【図１９】
2006106445.tif 000021
【図２０】
2006106445.tif 000022
【図２１】
2006106445.tif 000023
【図２２】
2006106445.tif 000024
【図２３】
2006106445.tif 000025
【図２４】
2006106445.tif 000026
【図２５】
2006106445.tif 000027
【図２６】
2006106445.tif 000028